(57)【要約】【課題】ブラケットを備える液体封入式防振装置において、別体のストッパゴムの取付を容易にし、ストッパゴムとブラケットとの擦れ等によって発生する異音を抑える。【解決手段】主バネ部５と、略筒状のケーシング部３ａを有するエンジンブラケット３とを備えた液体封入式防振装置１である。ケーシング部３ａの取付台座部３ｃの外側の側面に保持されるストッパ本体部５１と、一対のストッパ取付部６１，７１とを有する別体のストッパゴム１１を備えている。各ストッパ取付部６１，７１には、上側及び下側突条部が形成されている一方、ストッパ本体部５１の内側面には、内側溝部を形成するように内側突起部が形成されている。ストッパゴム１１は、ケーシング部３ａの上下方向両端部に形成されたスライド溝部３ｄに上側及び下側突条部をスライド挿入することにより、ケーシング部３ａに取り付けられる。【選択図】図１３
2012189164.tif 000002
【特許請求の範囲】
【請求項１】
車体側に取り付けられる取付金具と筒体とをゴム弾性体で連結した主バネ部と、貫通孔を有する略筒状のケーシング部と当該ケーシング部をエンジン側に取り付けるための取付部とが一体に形成されたブラケットと、を備え、上記筒体を上記貫通孔に圧入することによって、上記ゴム弾性体と当該ケーシング部の内周面とを壁部の一部とする容積可変の液室が形成される液体封入式防振装置であって、
上記ケーシング部の外側の側面に保持される略矩形状のストッパ本体部と、当該ストッパ本体部の筒軸方向両端部から筒径方向内側に延びる上下一対のストッパ取付部と、を有する断面略コ字状に形成された、当該ケーシング部とは別体のゴム製ストッパ部をさらに備え、
上記上下一対のストッパ取付部には、筒軸方向内側に突出する突条部がそれぞれ形成されている一方、上記ストッパ本体部の内側面には、溝部を形成するように筒径方向内側に突出する内側突起部が形成されており、
上記ストッパ部は、上記ケーシング部の筒軸方向両端部に形成された、各々筒軸方向外側に開口し且つ上記貫通孔の接線方向に延びるスライド溝部に、上記突条部をスライド挿入することにより、当該ケーシング部に取り付けられることを特徴とする液体封入式防振装置。
【請求項２】
請求項１記載の液体封入式防振装置において、
上記ストッパ本体部の外側面には、溝部を形成するように筒径方向外側に突出する外側突起部が形成されており、
上記スットパ部には、上記ストッパ本体部に対応する略矩形状の本体部と、当該本体部の筒軸方向両端部から筒径方向内側に延びる、上記上下一対のストッパ取付部に対応する上下一対の延出部と、を有する断面略コ字状に形成された補強部材が埋設されており、
上記補強部材の本体部には、開口部が形成されていることを特徴とする液体封入式防振装置。
【請求項３】
請求項１又は２記載の液体封入式防振装置において、
上記スライド溝部は、上記突条部の挿入方向の一方側が閉塞されている一方、上記突条部の挿入側である挿入方向他方側が開口しており、
上記スライド溝部の挿入方向他方側の端部には、当該スライド溝部の溝幅方向に突出する凸部が形成されており、
上記凸部は、挿入方向一方側の面が挿入方向と略直角に溝幅方向に延びるように形成されている一方、挿入方向他方側の面が一方側に行くほど当該スライド溝部の溝幅を狭めるように溝幅方向に傾斜していることを特徴とする液体封入式防振装置。
【発明の詳細な説明】
【技術分野】
【０００１】
本発明は、例えば、自動車用エンジンなどのマウントに用いられる、流体を封入した液体封入式防振装置に関するものである。
【背景技術】
【０００２】
従来から、この種の液体封入式防振装置としては、エンジン側の取付金具と車体側の支持金具との間にゴム弾性体を介設し、このゴム弾性体の変形に伴い容積が変化するように両部材間に液室を形成するとともに、この液室を受圧室及び平衡室に仕切り、これら受圧室及び平衡室を連通するオリフィス通路を設けたものが多い。そうして、かかる液体封入式防振装置では、オリフィス通路を介して受圧室及び平衡室の間を液体が流動することにより、エンジンからの振動が吸収、減衰されるようになっている。
【０００３】
また、この種の液体封入式防振装置では、支持金具の外周面の一部を覆うように、ゴム弾性体と一体形成されたストッパゴムを設け、例えば自動車の急加速時のように大きな駆動反力が作用してエンジン等が揺れようとすると、かかるストッパゴムが車体側の部材に当接することにより、ゴム弾性体の前後の変形を制限するようにしたものが多い。
【０００４】
さらに、このような液体封入式防振装置では、支持金具自体をブラケットとしたものが、換言すると、貫通孔を有する略筒状のケーシング部と当該ケーシング部をエンジン側に取り付けるための取付部とが一体に形成されたブラケットの当該ケーシング部に、ゴム弾性体を同時モールドしたものが知られている。例えば、特許文献１には、複数の固定用孔が貫設された取付部が径方向外側に向かって突出するように形成された略円筒形状の第二の取付金具（ブラケットに相当）に、本体ゴム弾性体と、当該本体ゴム弾性体と一体形成された緩衝ゴム層（ストッパゴムに相当）と、を加硫接着した液体封入式防振装置が開示されている。
【先行技術文献】
【特許文献】
【０００５】
【特許文献１】特開２００６−９０５３１号公報
【発明の概要】
【発明が解決しようとする課題】
【０００６】
しかしながら、上記特許文献１のもののように、ブラケットにゴム弾性体及びストッパゴムを同時モールドしたものでは、以下のような問題がある。すなわち、従来は、ブラケットが小さかったことから、１回のモールドで複数の一体加硫成形品（ブラケットにゴム弾性体及びストッパゴムが同時モールドされたもの）を成形することが可能であったが、今日では、エンジン性能の向上に伴って、大きなブラケットが要求されるため、換言すると大きなブラケットを金型に挿入する必要があるため、１回のモールドで成形できる一体加硫成形品の個数が限られることから、液体封入式防振装置の製造コストが嵩むという問題がある。
【０００７】
そこで、液体封入式防振装置の製造コストを抑えるべく、１回のモールドで複数成形可能な、例えば取付金具と金属製パイプ部材とをゴム弾性体で連結した一体加硫成形品（主バネ部）を、ブラケットを構成する略筒状のケーシング部に圧入するとともに、ゴム弾性体とは別体のストッパゴムをケーシング部の外側の側面に取り付けることが考えられる。
【０００８】
ここで、別体のストッパゴムをケーシング部に取り付ける方法としては、例えば、図１７に示すように、外表面にストッパゴム１２１が一体形成された金属プレート１１２を、ケーシング部１１３ａの外側の側面にカシメ固定する方法や、図１８（ａ）に示すように、ケーシング部１１３ａの外側の側面に断面台形状のキー溝１１３ｂを形成するとともに、外表面にストッパゴム１３１が一体形成された金属プレート１２２に断面コ字状の凸条部１２２ａを形成し、かかる凸条部１２２ａをキー溝１１３ｂに対し白抜き矢印の方向に圧入し、図１８（ｂ）に示すように、当該キー溝１１３ｂを区画する壁面に沿うようにかかる凸条部１２２ａを変形させることで、ストッパゴム１３１をケーシング部１１３ａの外側の側面に固定する方法が考えられる。
【０００９】
しかしながら、これらの方法では、ストッパゴム１２１，１３１をケーシング部１１３ａの外側の側面に固定するために、金属プレート１１２をカシメるための設備や、凸条部１２２ａをキー溝１１３ｂに圧入するための設備が別途必要になることから、却って製造コストが嵩むという問題がある。
【００１０】
そこで、ストッパゴムの取付コストの低減を図るべく、例えば、図１９に示すように、ストッパ本体部１５１と、当該ストッパ本体部１５１の上下方向両端部から筒径方向内側に延びる上下一対のストッパ取付部１６１，１７１とを有するストッパゴム１４１を用いることが考えられる。具体的には、ストッパゴム１４１を筒径方向から（白抜き矢印の方向に）ケーシング部１１３ａの外側の側面に押し付けて、ケーシング部１１３ａの上下方向両端部に形成された凹部１１３ｃに、上下一対のストッパ取付部１６１，１７１に形成された凸部１６１ａ，１７１ａを挿入することにより、当該ストッパゴム１４１をケーシング部１１３ａに取り付けることが考えられる。
【００１１】
しかしながら、この場合にも、以下のような問題がある。すなわち、ストッパゴム１４１をケーシング部１１３ａに堅固に取り付けるために、上側ストッパ取付部１６１の下面と下側ストッパ取付部１７１の上面との間隔は、ケーシング部１１３ａの高さよりも若干小さく設定されるところ、ストッパゴム１４１が硬い場合や、図１９に示すようにストッパゴム１４１に金属プレート１４２が埋め込まれている場合には、凸部１６１ａ，１７１ａがケーシング部１１３ａの上面または下面に乗り上げることができず、ストッパゴム１４１をケーシング部１１３ａに取り付けることが困難になるという問題がある。
【００１２】
特に、ストッパゴム１４１に金属プレート１４２が埋め込まれている場合には、ストッパゴム１４１を無理矢理押し込むと、金属プレート１４２に塑性変形が生じるおそれがある。そうして、内部に埋め込まれた金属プレート１４２に一旦塑性変形が生じてしまうと、ストッパゴム１４１が、ケーシング部１１３ａの外側の側面にフィットせず振動や衝撃が入力する毎にがたつくおそれがある。
【００１３】
一方、取付性を重視して、ストッパゴム１４１を軟らかくし過ぎたり、余裕を持った寸法に設定したりすると、液体封入式防振装置に対して振動が入力したときに、ストッパゴムの内側面と支持金具の外側の側面とが、離間と当接を繰り返したり、擦れたりすることで異音が発生するという問題がある。
【００１４】
本発明は、かかる点に鑑みてなされたものであり、その目的とするところは、ブラケットを備える液体封入式防振装置において、別体のストッパゴムをブラケットの外側の側面に取り付ける場合でも、ストッパゴムの取付を容易にするとともに、ストッパゴムの内側面とブラケットの外側の側面とが、離間と当接を繰り返したり、擦れたりすることによって発生する異音を抑える技術を提供することにある。
【課題を解決するための手段】
【００１５】
上記目的を達成するために本発明では、ストッパゴムの取付方としてスライド方式を採用することで、ブラケットに対するストッパゴムの取付を容易にしつつ、ストッパゴムをブラケットにしっかりと取り付けることにより、振動が入力した場合でも、両者の接触状態を維持するとともに、ストッパゴムの内側面とブラケットの外側の側面との接触面積を減らして、擦れによる異音の発生を抑えるようにしている。
【００１６】
具体的には、第１の発明は、車体側に取り付けられる取付金具と筒体とをゴム弾性体で連結した主バネ部と、貫通孔を有する略筒状のケーシング部と当該ケーシング部をエンジン側に取り付けるための取付部とが一体に形成されたブラケットと、を備え、上記筒体を上記貫通孔に圧入することによって、上記ゴム弾性体と当該ケーシング部の内周面とを壁部の一部とする容積可変の液室が形成される液体封入式防振装置を対象としている。
【００１７】
そして、上記ケーシング部の外側の側面に保持される略矩形状のストッパ本体部と、当該ストッパ本体部の筒軸方向両端部から筒径方向内側に延びる上下一対のストッパ取付部と、を有する断面略コ字状に形成された、当該ケーシング部とは別体のゴム製ストッパ部をさらに備え、上記上下一対のストッパ取付部には、筒軸方向内側に突出する突条部がそれぞれ形成されている一方、上記ストッパ本体部の内側面には、溝部を形成するように筒径方向内側に突出する内側突起部が形成されており、上記ストッパ部は、上記ケーシング部の筒軸方向両端部に形成された、各々筒軸方向外側に開口し且つ上記貫通孔の接線方向に延びるスライド溝部に、上記突条部をスライド挿入することにより、当該ケーシング部に取り付けられることを特徴とするものである。
【００１８】
第１の発明によれば、ブラケットにゴム弾性体及びストッパゴムを同時モールドしていた従来のものとは異なり、主バネ部及びストッパ部とブラケットとを別体としていることから、大きなブラケットを金型に挿入する必要がないので、１回のモールドで複数の主バネ部及びストッパ部を成形することができる。
【００１９】
そして、ストッパ部は、ケーシング部の筒軸方向両端部に形成された、貫通孔の接線方向に延びるスライド溝部に、上下一対のストッパ取付部に形成された突条部をスライド挿入することにより、当該ケーシング部に取り付けられる。これにより、金属プレート等をカシメるための設備や圧入するための設備を要しないことから、製造コストが嵩むのを抑えることができるとともに、金属プレートの塑性変形によるストッパゴムのがたつきを抑えつつ、ストッパ部をケーシング部にスムーズに取り付けることができる。
【００２０】
さらに、ストッパ本体部の内側面には、筒径方向内側に突出する内側突起部が形成されていることから、ストッパ部をケーシング部に取り付けると、当該内側突起部がケーシング部の外側の側面を筒径方向内側に押す。これにより、ストッパ取付部に突設された突条部と筒径方向内側に突出する内側突起部とが、あたかもケーシング部を筒径方向に挟むように作用することから、ストッパ部がケーシング部にしっかりと取り付けられる。したがって、別体のストッパゴムをブラケットの外側の側面に取り付ける場合でも、ストッパゴムの内側面とブラケットの外側の側面とが、離間と当接を繰り返すことで発生する異音を抑えることができる。
【００２１】
さらに、内側突起部は、ストッパ本体部の内側面に溝部を形成するように形成されていることから、かかる溝部の存在により、ストッパ本体部の内側面とケーシング部の外側の側面との接触面積が減少することになる。これにより、ストッパゴムの内側面とブラケットの外側の側面とが擦れた場合にも、異音が発生するのを抑えることができる。
【００２２】
第２の発明は、上記第１の発明において、上記ストッパ本体部の外側面には、溝部を形成するように筒径方向外側に突出する外側突起部が形成されており、上記スットパ部には、上記ストッパ本体部に対応する略矩形状の本体部と、当該本体部の筒軸方向両端部から筒径方向内側に延びる、上記上下一対のストッパ取付部に対応する上下一対の延出部と、を有する断面略コ字状に形成された補強部材が埋設されており、上記補強部材の本体部には、開口部が形成されていることを特徴とするものである。
【００２３】
第２の発明によれば、断面略コ字状のストッパ部には、その全体に亘って、断面略コ字状の補強部材が埋設されているので、当該ストッパ部の耐久性を向上させることができるとともに、ストッパ部が、上下一対のストッパ取付部によってケーシング部を筒軸方向に挟むように、当該ケーシング部に取り付けられた状態を維持することができる。
【００２４】
また、ストッパ本体部に埋設されている補強部材の本体部には開口部が形成されていることから、ストッパ本体部における開口部に対応する部位では、当該ストッパ本体部が補強部材によって筒径方向内側と外側に分断されておらず、適度のラバーボリュームが確保されている。そうして、ストッパ本体部の外側面及び内側面には、ともに溝部が形成されているので、これらの溝部が潰れることで外側及び内側突起部が変形し易くなっている。このように、ストッパ本体部は、適度なラバーボリュームを有しているとともに変形しやすい形状に形成されていることから、軟らかいばね特性を呈する。
【００２５】
そうして、ストッパ本体部の変形が進み溝部が潰れる（変形した外側及び内側突起部によって埋まる）と、ストッパ本体部における開口部に対応する部位が、筒軸方向及び筒周方向に逃げるように変形しようとするが、開口部を区画する枠状の本体部によってかかる変形が抑えられる。これにより、ストッパ本体部は、硬いばね特性を呈する。
【００２６】
以上により、荷重が入力すると大きく変形して衝撃を吸収する領域と、荷重が入力しても大きく変形せず変位を抑える領域とを有する２段階の特性を備えた、耐久性の高いストッパゴムを実現することが可能となる。
【００２７】
第３の発明は、上記第１又は第２の発明において、上記スライド溝部は、上記突条部の挿入方向の一方側が閉塞されている一方、上記突条部の挿入側である挿入方向他方側が開口しており、上記スライド溝部の挿入方向他方側の端部には、当該スライド溝部の溝幅方向に突出する凸部が形成されており、上記凸部は、挿入方向一方側の面が挿入方向と略直角に溝幅方向に延びるように形成されている一方、挿入方向他方側の面が一方側に行くほど当該スライド溝部の溝幅を狭めるように溝幅方向に傾斜していることを特徴とするものである。
【００２８】
第３の発明によれば、凸部の挿入方向他方側の面が一方側に行くほどスライド溝部の溝幅を狭めるように傾斜していることから、突条部を凸部の挿入方向他方側の面に当てながら挿入方向一方側へ押し込むと、突条部が凸部の溝幅方向の先端部に誘導される。このようにして誘導された突条部は、スライド溝部における凸部によって局所的に溝幅が狭められた部分を変形しながら通り抜ける。そして、溝幅が狭められた部分を通り抜けた突条部は、かかる挿入方向において、スライド溝部の閉塞された一方側の端部と当該凸部との間に挟まれる状態となる。このように、突条部がスライド溝に一旦挿入されると、凸部の挿入方向一方側の面は挿入方向と略直角に溝幅方向に延びるように形成されていることから、突条部に挿入方向他方側向きに力が作用しても、かかる挿入方向一方側の面が突条部をしっかりと受け止めるので、突条部がスライド溝部から外れるのを抑えることができる。
【発明の効果】
【００２９】
本発明に係る液体封入式防振装置によれば、主バネ部及びストッパ部とブラケットとを別体としていることから、大きなブラケットを金型に挿入する必要がないので、１回のモールドで複数の主バネ部及びストッパ部を成形することができる。
【００３０】
そして、ストッパ部は、ケーシング部に形成されたスライド溝部に、突条部をスライド挿入することにより、ケーシング部に取り付けられることから、取付のための設備を別途要することなく、当該ストッパ部をケーシング部にスムーズに取り付けることができる。
【００３１】
さらに、ストッパ本体部の内側面に形成された内側突起部がケーシング部の外側の側面を筒径方向内側に押すことから、スライド溝部に挿入された突条部と突起部とがあたかもケーシング部を筒径方向に挟むように作用し、これにより、ストッパ部をケーシング部にしっかりと取り付けることができる。したがって、別体のストッパゴムをブラケットに取り付ける場合でも、ストッパゴムの内側面とブラケットの外側の側面とが、離間と当接を繰り返すことで発生する異音を抑えることができる。
【００３２】
加えて、内側突起部は、ストッパ本体部の内側面に溝部を形成するように形成されていることから、ストッパ本体部の内側面とケーシング部の外側の側面との接触面積が減少するので、ストッパゴムの内側面とブラケットの外側の側面とが擦れた場合にも、異音が発生するのを抑えることができる。
【図面の簡単な説明】
【００３３】
【図１】本発明の実施形態に係る液体封入式防振装置を示す斜視図である。
【図２】図１のII−II線断面図である。
【図３】主バネ部をエンジンブラケットの貫通孔に圧入する方法を模式的に説明する断面図である。
【図４】液体封入式防振装置を取付ブラケットに固定した状態を示す斜視図である。
【図５】エンジンブラケットの底面図である。
【図６】アウターパイプの変形挙動を説明する断面図である。
【図７】エンジンブラケットの貫通孔の孔壁を模式的に示す図である。
【図８】貫通孔に圧入することで変形したアウターパイプを模式的に示す断面図である。
【図９】シール部を示す断面図であり、同図（ａ）は、圧入前の状態を示し、同図（ｂ）は、圧入された状態を示す。
【図１０】ストッパゴムを示す斜視図である。
【図１１】ストッパゴムを示す図であり、同図（ａ）は、同図（ｃ）のＡ−Ａ線断面図であり、同図（ｂ）は、外側面を示す正面図であり、同図（ｃ）は、縦断面図であり、同図（ｄ）は、内側面を示す背面図であり、同図（ｅ）は、同図（ｃ）のＥ−Ｅ線断面図である。
【図１２】補強部材を示す斜視図である。
【図１３】ストッパゴムの取付方法を模式的に説明する図である。
【図１４】図２のXIV−XIV線断面図である。
【図１５】ストッパゴムの変形の様子を説明する図であり、同図（ａ）は、ブラケットにストッパゴムを同時モールドした従来のものを示し、同図（ｂ）は、本実施形態のものを示す。
【図１６】ストッパゴムの荷重−撓み曲線を示すグラフ図である。
【図１７】ストッパゴムがカシメ固定された従来のブラケットを示す断面図である。
【図１８】ストッパゴムが圧入固定された従来のブラケットを示す断面図であり、同図（ａ）はストッパゴムを取り付ける前の状態を示し、同図（ｂ）はストッパゴムを取り付けた後の状態を示す。
【図１９】ストッパゴムを筒径方向外側から取り付ける従来のブラケットを示す断面図である。
【発明を実施するための形態】
【００３４】
以下、本発明の実施形態を図面に基づいて詳細に説明する。
【００３５】
−全体構造−
図１及び図２は、本実施形態に係る液体封入式防振装置を示す図である。この液体封入式防振装置１は、エンジン及び変速機が結合されてなる不図示のパワープラント（エンジン側）に取り付けられる、貫通孔１３が形成されたエンジンブラケット（ブラケット）３と、当該貫通孔１３に下側（筒軸方向一方側）から圧入される主バネ部５と、当該貫通孔１３に上側（筒軸方向他方側）から挿入されるオリフィス板７と、当該オリフィス板７に重なるように、当該貫通孔１３に上側から圧入されるゴム製ダイヤフラム９と、貫通孔１３の接線方向（図１３の白抜き矢印の方向）から当該エンジンブラケット３に取り付けられる一対のストッパゴム（ストッパ部）１１と、を備えている。
【００３６】
主バネ部５は、車体側に連結されるアルミニウム合金製のインナープレート（取付金具）２５と、アルミニウム合金製のアウターパイプ（筒体）１５と、これらを連結するように加硫接着されたゴム弾性体３５とを有していて、図３に示すように、アウターパイプ１５を貫通孔１３に圧入することで、エンジンブラケット３に取り付けられている。そうして、本実施形態の液体封入式防振装置１は、アウターパイプ１５の筒軸方向が上下方向を向くように、且つ、一対のストッパゴム１１が車両前後方向に対向するように、且つ、一対のストッパゴム１１の挿入方向が車幅方向を向くように、パワープラント及び車体に取り付けられるようになっている。なお、以下の説明では、筒軸方向を上下方向と、ストッパゴム１１の対向方向を前後方向と、また、上下方向及び前後方向に直交する方向であるストッパゴム１１の挿入方向を左右方向という。
【００３７】
この液体封入式防振装置１では、エンジンブラケット３の内周面と主バネ部５（具体的にはゴム弾性体３５）とダイヤフラム９とによって区画される空洞内に、エチレングリコール等の緩衝液が封入されていて、かかる空洞が、ゴム弾性体３５に入力するパワープラントの振動を吸収、緩和するための液室３１を形成している。そうして、この液室３１の内部はオリフィス板７によって上下に仕切られていて、その下側が、ゴム弾性体３５の変形に伴い容積が拡大又は縮小する受圧室３１ａになっている一方、液室３１の上側は、ダイヤフラム９の変形によって容積が拡大または縮小されて、受圧室３１ａにおける容積の変動を吸収する平衡室３１ｂとなっている。
【００３８】
この液体封入式防振装置１は、図４に示すように、当該液体封入式防振装置１の上方を前後に跨ぐようにして車体サイドフレーム（図示せず）に取り付けられる略逆Ｕ字状の取付ブラケット２１を介して車体に取り付けられることで、パワープラントを弾性支持するようになっている。この取付ブラケット２１は、液体封入式防振装置１の上方で略水平に前後方向に延びる上側梁部２１ａと、当該上側梁部２１ａの前後両端部からそれぞれ下方に延びる前後一対の脚部２１ｂと、これらの脚部２１ｂを連結するように、液体封入式防振装置１の下方で前後方向に略水平に延びる下側梁部２１ｃとを有しており、この前後一対の脚部２１ｂの各下端部２１ｄがそれぞれサイドフレーム上に締結されるようになっている。そうして、液体封入式防振装置１は、主バネ部５のインナープレート２５が下側梁部２１ｃに固定されることで、当該取付ブラケット２１に取り付けられている。
【００３９】
これにより、この液体封入式防振装置１では、例えば自動車が停止していてエンジンがアイドル運転状態にあるときには、トルク変動等に起因する低周波のアイドル振動がゴム弾性体３５により吸収され、車体への振動伝達が抑制される。一方、例えば自動車の急加速時のように大きな駆動反力（トルク）が作用してパワープラントが前後に揺れようとすると、一対のストッパゴム１１（より詳しくは後述する外側突起部５１ａ）が取付ブラケット２１の脚部２１ｂに当接することにより、ゴム弾性体３５の前後の変形が制限されるとともに、パワープラントが上下に揺れようとすると、一対のストッパゴム１１（より詳しくは後述する上側突起部６１ｂ）が取付ブラケット２１の上側梁部２１ａに当接することにより、ゴム弾性体３５の上下の変形が制限されるようになっている。
【００４０】
−エンジンブラケット等−
エンジンブラケット３はアルミニウム合金製であり、当該エンジンブラケット３には、上述の如く主バネ部５等を挿入するための上下方向に延びる貫通孔１３が形成されている。換言すると、このエンジンブラケット３は、貫通孔１３を有する略筒状のケーシング部３ａに、当該ケーシング部３ａをパワープラントに取り付けるための取付部３ｂが一体形成されたような形状となっている。このケーシング部３ａには、その外周面から各々筒径方向に突出し且つフラットな外側面を有する、一対の取付台座部３ｃが形成されている。かかる一対の取付台座部３ｃは、一対のストッパゴム１１を取り付けるためのものであり、前後方向に対向するように形成されている。
【００４１】
各取付台座部３ｃの上面（図１３参照）及び下面（図５参照）には、後述するストッパゴム１１の上側及び下側突条部６１ａ，７１ａが挿入される４つのスライド溝部３ｄ，３ｅが形成されている。より詳しくは、取付台座部３ｃの上面に形成されたスライド溝部３ｄは上側（筒軸方向外側）に開口している一方、取付台座部３ｃの下面に形成されたスライド溝部３ｅは下側（筒軸方向外側）に開口しており、これらのスライド溝部３ｄ，３ｅは左右方向（貫通孔１３の接線方向）に延びている。そして、各スライド溝部３ｄ，３ｅは、取付部３ｂ側である左右方向一方側が閉塞されている一方、左右方向他方側が開口しており、この開口した他方側から上側及び下側突条部６１ａ，７１ａがスライド挿入されるようになっている。また、各スライド溝部３ｄ，３ｅの左右方向他方側の端部には、当該各スライド溝部３ｄ，３ｅを区画する溝幅方向（前後方向）外側の壁部３ｋから、当該各スライド溝部３ｄ，３ｅの溝幅方向内側に突出する凸部３ｆ，３ｇが形成されており、これにより、スライド溝部３ｄ，３ｅに挿入された上側及び下側突条部６１ａ，７１ａは、左右方向において、閉塞された一方側の端部と凸部３ｆ，３ｇとの間に挟まれるようになっている。
【００４２】
図２及び図３に示すように、ケーシング部３ａの貫通孔１３は、オリフィス板７及びダイヤフラム９が挿入される上側貫通孔２３と、当該上側貫通孔２３と段差面３３を介して連なる、主バネ部５が挿入される下側貫通孔４３とから構成されている。そうして、上側貫通孔２３の内径は、下側貫通孔４３の内径よりも大きく形成されている。
【００４３】
この段差面３３には、円板状のオリフィス板７が上方から配設され、さらに、その上方から当該オリフィス板７全体を覆うように、概略ハット形状のダイヤフラム９が配設されている。このダイヤフラム９の外周側には概略円筒状の補強板１９が埋設されており、かかる補強された外周部が上側貫通孔２３に上方から圧入されることにより、当該ダイヤフラム９はエンジンブラケット３に内嵌合状態で固定されている。また、このようにダイヤフラム９が嵌合固定された状態では、補強板１９よりも下方に延びる上側シールゴム部９ａにより、オリフィス板７の外周が囲まれるようになっている。
【００４４】
オリフィス板７には、円環状のオリフィス通路（図示せず）が周方向に延びるように形成され、このオリフィス通路の一方の端が液室３１下側の受圧室３１ａに臨んで開口する一方、オリフィス通路の他方の端が液室３１上側の平衡室３１ｂに臨んで開口している。そして、それら受圧室３１ａ及び平衡室３１ｂの緩衝液がオリフィス通路を介して相互に流通することによって、ゴム弾性体３５から受圧室３１ａに作用する低周波の振動が減衰されるようになっている。
【００４５】
−主バネ部−
主バネ部５のインナープレート２５は、図１〜図３に示すように、略矩形状の底板部５５ｂと当該底板部５５ｂの左右方向一方側の側縁から下方に延びる側板部５５ａとを有する前後方向視で断面略Ｌ字状の取付プレート部５５と、かかる取付プレート部５５の底板部５５ｂを上方に膨出させた略有頂筒状のインナーパイプ部４５とを有している。インナーパイプ部４５は、その上端部が主バネ部５のアウターパイプ１５の下端開口部の略中心に位置するように、アウターパイプ１５と略同軸に配置されていて、その外周面とこれに対応するアウターパイプ１５の内周面との間にゴム弾性体３５が介設されている。一方、取付プレート部５５は、底板部５５ｂの左右方向他方側の側縁部を折り曲げることによって、側板部５５ａとともに取付ブラケット２１の下側梁部２１ｃを左右から挟み且つその下面をカシメるように、かかる下側梁部２１ｃに上方から取り付けられている。
【００４６】
ゴム弾性体３５の下部内周側には、すり鉢状の凹部３５ａが形成されていて、この凹部３５ａの周面がインナーパイプ部４５の外周面に接着されている。ゴム弾性体３５はインナーパイプ部４５の全周から外方に向かって放射状に拡がり、且つ、斜め上方向に延びる略円錐台状のものであり、その上側の部分の外周面がアウターパイプ１５の内周面に接着されている。このようにアウターパイプ１５の内周面に接着固定されているゴム弾性体３５の上側の部分は、上方に向かって開口する比較的厚肉の円筒状とされ、その上端部３５ｂがアウターパイプ１５の上端部１５ｅを巻き込むように覆っている。そうして、アウターパイプ１５を下側貫通孔４３に嵌めることによって、液体封入式防振装置１には、ゴム弾性体３５と下側貫通孔４３の内周面とを壁部の一部とする容積可変の液室３１が形成されるようになっている。
【００４７】
ところで、金属製のエンジンブラケット３の貫通孔１３に金属製のアウターパイプ１５を圧入する構造では、金属面同士が直接接触しているため、その間のシール性は非常に不安定であり、流体の漏洩のおそれがある。
【００４８】
そこで、本実施形態の液体封入式防振装置１では、アウターパイプ１５は、径が一定な筒状ではなく、エンジンブラケット３とのシール性を高めるべく、上下方向におけるインナープレート２５側である下側の大径筒部１５ｃと、当該大径筒部１５ｃよりも外径が小さく、且つ、当該大径筒部１５ｃに段差面１５ｂを介して連なる上側の小径筒部１５ａと、を有する二段構造となっている。このような二段構造を採用したのは、以下の理由による。
【００４９】
すなわち、大径筒部１５ｃに段差面１５ｂを介して小径筒部１５ａが連なる二段構造では、図６に示すように、大径筒部１５ｃが筒径方向内側に締め付けられて変形した場合、筒径方向の剛性が高い、段差面１５ｂを構成する略円環状の部位があたかも支点となって小径筒部１５ａが上方且つ筒径方向外側に拡がるという性質を利用することによって、エンジンブラケット３の下側貫通孔４３の内周面とアウターパイプ１５の外周面との間の隙間を埋めるためである。なお、図中の符号１５ｄは、大径筒部１５ｃの下端部を筒径方向外側に折り曲げることで形成されたフランジ部である。
【００５０】
そうして、二段構造のアウターパイプ１５に対応するように、エンジンブラケット３の下側貫通孔４３は、図７に示すように、大径筒部１５ｃに対向する下側の大径部４３ｃと、当該大径部４３ｃに段差面４３ｂを介して連なる、小径筒部１５ａに対向する上側の小径部４３ａと、を有するように形成されている。そして、この大径部４３ｃは、その内径が小径筒部１５ａの外径より大きく且つ大径筒部１５ｃの外径よりも小さく形成されている一方、この小径部４３ａは、その内径が小径筒部１５ａの外径よりも大きく形成されている。
【００５１】
なお、大径部４３ｃは、エンジンブラケット３の成形に当り、金型の抜き勾配を確保するために、下方に向かうほど筒径方向外側に傾斜するように、１．５°傾斜している。このように、大径部４３ｃが傾斜していることにより、本実施形態の液体封入式防振装置１では、当該大径部４３ｃに大径筒部１５ｃが挿入し易くなるとともに、当該大径部４３ｃが大径筒部１５ｃの変形を促すガイドの役割を果たすという利点もある。
【００５２】
なお、本実施形態では、大径部４３ｃの孔壁を１．５°傾斜させているが、これに限らず、例えば後工程で切削を施すことにより、孔壁を傾斜させないようにしてもよいし、また、孔壁を１．５°を超えて傾斜させてもよい。好ましい傾斜角は、０〜１０°の範囲である。
【００５３】
このように形成されたエンジンブラケット３の下側貫通孔４３に、下側からアウターパイプ１５の小径筒部１５ａを挿入して、フランジ部１５ｄがケーシング部３ａの下端に当たるまで大径筒部１５ｃを圧入すると、図８に示すように、大径筒部１５ｃが大径部４３ｃに圧入されて窄まることによって、小径筒部１５ａは、その上端部１５ｅが小径部４３ａの内周面との隙間を塞ぐように、上方に向かうほど筒径方向外側に拡がる。これにより、本実施形態の液体封入式防振装置１では、アウターパイプ１５の上端部１５ｅを巻き込むように形成されている、ゴム弾性体３５の上端部３５ｂ（図８では図示省略している）が、小径部４３ａの内周面に押し付けられることによって、エンジンブラケット３と主バネ部５との間のシール性が高められている。
【００５４】
ここで、小径筒部１５ａが上方に向かうほど筒径方向外側に拡がるように変形することから、図８に示すように、小径筒部１５ａの外周面と小径部４３ａの内周面との間には、断面略三角形状の空間４１が形成されることになる。そこで、本実施形態の液体封入式防振装置１では、シール性をさらに高めるために、図９（ａ）に示すように、小径筒部１５ａの外周面に、筒径方向外側に突出する上下三段のシールリップ３５ｄが設けられた、下方に向かうほど厚肉となる下側シールゴム部３５ｃがゴム弾性体３５と一体に形成されている。
【００５５】
このように、下方に向かうほど厚肉となる下側シールゴム部３５ｃを形成することにより、大径筒部１５ｃが大径部４３ｃに圧入されて、小径筒部１５ａが上方に向かうほど筒径方向外側に拡がると、図９（ｂ）に示すように、かかる下側シールゴム部３５ｃが、小径筒部１５ａの外周面と小径部４３ａの内周面との間の断面略三角形状の空間４１を埋めるとともに、シールリップ３５ｄが小径部４３ａの内周面に押し付けられるので、エンジンブラケット３と主バネ部５との間のシール性が一層高められることになる。
【００５６】
以上のように、本実施形態の液体封入式防振装置１では、アウターパイプ１５の小径筒部１５ａが上方に向かうほど筒径方向外側に拡がることによるシールと、下側シールゴム部３５ｃが、小径筒部１５ａの外周面と小径部４３ａの内周面との間の断面略三角形状の空間４１を埋めることによるシールという、二段階のシールを設けることで、エンジンブラケット３の貫通孔１３にアウターパイプ１５を圧入する構造でありながら、両者３，１５の間のシール性を高めることが可能となっている。
【００５７】
また、ゴム弾性体３５の上端部１５ｅをオリフィス板７の下面に押し当てることによりシールを行うのではなく、ゴム弾性体３５の上端部１５ｅを小径部４３ａの内周面に押し当てることによりシールを行うことから、アウターパイプ１５を圧入することによって、液室３１の下側の受圧室３１ａに臨んで開口しているオリフィス通路の一方の端が塞がれるのを確実に回避することができる。
【００５８】
−ストッパゴム−
ストッパゴム１１は、図２、図１０及び図１１（ａ）〜図１１（ｅ）に示すように、ケーシング部３ａの外側の側面（取付台座部３ｃ）に保持される略矩形状のストッパ本体部５１と、ストッパ本体部５１の上端部及び下端部から筒径方向内側に延びる上下一対のストッパ取付部６１，７１と、を有していて断面略コ字状に形成されている。そうして、断面略コ字状のストッパゴム１１は、上下一対のストッパ取付部６１，７１によって取付台座部３ｃ（ケーシング部３ａ）を上下に挟むように当該ケーシング部３ａに取り付けられている。なお、上側ストッパ取付部６１の下面と下側ストッパ取付部７１の上面との間隔は、取付台座部３ｃの高さよりも若干小さく設定されている。
【００５９】
ストッパ本体部５１の外側面には、３つの外側溝部５１ｂを形成するように、左右方向に延びる４つの外側突起部５１ａが形成されている一方、ストッパ本体部５１の内側面にも、３つの内側溝部５１ｄを形成するように、左右方向に延びる４つの内側突起部５１ｃが形成されている。
【００６０】
また、上側ストッパ取付部６１には、その上面に３つの上側溝部６１ｃを形成するように、前後方向に延びる４つの上側突起部６１ｂが形成されている一方、その下面にケーシング部３ａのスライド溝部３ｄに挿入される、左右方向に延び且つ下方（筒軸方向内側）に突出する、断面略逆台形状の上側突条部６１ａが形成されている。一方、下側ストッパ取付部７１の上面には、ケーシング部３ａのスライド溝部３ｅに挿入される、左右方向に延び且つ上方（筒軸方向内側）に突出する、断面略台形状の下側突条部７１ａが形成されている。なお、上側突条部６１ａ及び下側突条部７１ａの前後方向内側の面と、内側突起部５１ｃの外側の面と、の前後方向における間隔は、スライド溝部３ｄ，３ｅを区画する溝幅方向外側の壁部３ｋの壁厚よりも若干小さく設定されている。
【００６１】
さらに、ストッパゴム１１には、図２及び図１２に示すように、ストッパ本体部５１に対応する略矩形状の本体部１２ａと、当該本体部１２ａの上端部及び下端端部から筒径方向内側に延びる、上側及び下側ストッパ取付部６１，７１に対応する延出部１２ｃ，１２ｄと、を有する断面略コ字状に形成された金属製の補強部材１２が埋設されている。補強部材１２の本体部１２ａには、矩形の開口部１２ｂが形成されており、これにより、補強部材１２の本体部１２ａは、略矩形枠状をなしている。
【００６２】
ストッパゴム１１は、図１３に示すように、上側及び下側ストッパ取付部６１，７１に突設された上側及び下側突条部６１ａ，７１ａを、ケーシング部３ａのスライド溝部３ｄ，３ｅに左右方向からスライド挿入することによって、ケーシング部３ａに取り付けられる。ここで、上側及び下側突条部６１ａ，７１ａを、スライド溝部３ｄ，３ｅに挿入する際には、スライド溝部３ｄ，３ｅの溝幅方向に突出する凸部３ｆ，３ｇがスムーズな挿入を阻害するようにも思われるが、図１４に拡大して示すように、かかる凸部３ｆ，３ｇの左右方向他方側の面３ｈは、左右方向一方側に行くほど当該スライド溝部３ｄ，３ｅの溝幅を狭めるように溝幅方向に傾斜していることから、上側及び下側突条部６１ａ，７１ａの左右方向一方側の端部を凸部３ｆ，３ｇの左右方向他方側の面３ｈに押し当てると、上側及び下側突条部６１ａ，７１ａが傾斜面３ｈに沿って左右方向一方側（凸部３ｆ，３ｇの溝幅方向の先端部）へ誘導される。このように、凸部３ｆ，３ｇの溝幅方向の先端部へ誘導された上側及び下側突条部６１ａ，７１ａは、スライド溝部３ｄ，３ｅの凸部３ｆ，３ｇによって局所的に狭められた部分３ｊを、変形しながら通り抜けてスライド溝部３ｄ，３ｅに挿入される。
【００６３】
一方、スライド溝部３ｄ，３ｅに挿入された上側及び下側突条部６１ａ，７１ａは、一方側の閉塞された部位と凸部３ｆ，３ｇとに挟まれたような状態となり、ストッパゴム１１が左右方向他方側に力を受けても、上側及び下側突条部６１ａ，７１ａの左右方向他方側の端部が、左右方向と略直角に溝幅方向に延びている凸部３ｆ，３ｇの左右方向一方側の面３ｉに当たるので、スライド溝部３ｄ，３ｅから容易に外れないようになっている。そうして、上側ストッパ取付部６１の下面と下側ストッパ取付部７１の上面との間隔は、取付台座部３ｃの高さよりも若干小さく設定されているので、ストッパ本体部５１がケーシング部３ａの外側の側面（取付台座部３ｃ）に堅固に保持される。
【００６４】
これに加えて、このストッパ本体部５１の内側面には、筒径方向内側に突出する内側突起部５１ｃが形成されていることから、ストッパゴム１１を取付台座部３ｃに取り付けると、当該内側突起部５１ｃが取付台座部３ｃの外側面を筒径方向内側に押すように作用する。このため、取付台座部３ｃからの反力でストッパ本体部５１が筒径方向外側に押されることから、スライド溝部３ｄ，３ｅに挿入されている上側及び下側突条部６１ａ，７１ａが、筒径方向外側に引っ張られて、スライド溝部３ｄ，３ｅを区画する溝幅方向外側の壁部３ｋを押すことになる。これにより、上側及び下側ストッパ取付部６１，７１に突設された上側及び下側突条部６１ａ，７１ａと、筒径方向内側に突出する内側突起部５１ｃとが、あたかもケーシング部３ａを筒径方向に挟むように作用することから、ストッパゴム１１がケーシング部３ａにしっかりと取り付けられる。したがって、別体のストッパゴム１１をエンジンブラケット３の外側の側面に取り付ける場合でも、ストッパゴム１１の内側面とエンジンブラケット３の外側の側面とが、離間と当接を繰り返すことで発生する異音を抑えることができる。
【００６５】
また、内側突起部５１ｃは、ストッパ本体部５１の内側面に内側溝部５１ｄを形成するように形成されていることから、かかる内側溝部５１ｄの存在により、ストッパ本体部５１の内側面と取付台座部３ｃの外側面との接触面積が減少することになる。これにより、ストッパゴム１１の内側面と取付台座部３ｃの外側面とが擦れた場合にも、異音が発生するのを抑えることができる。
【００６６】
さらに、ストッパ本体部５１に埋設されている補強部材１２の本体部１２ａには開口部１２ｂが形成されているので、ストッパ本体部５１における開口部１２ｂに対応する部位では、当該ストッパ本体部５１が補強部材１２によって筒径方向内側と外側に分断されておらず、適度のラバーボリュームが確保されている。加えて、ストッパ本体部５１には、左右方向に延びる外側及び内側溝部５１ｂ，５１ｄが形成されているので、当該ストッパ本体部５１は、これらの外側及び内側溝部５１ｂ，５１ｄが潰れる（埋まる）ことで変形し易くなっている。換言すると、荷重を受けて外側及び内側突起部５１ａ，５１ｃが上下に膨らむように変形しても、かかる膨らみが外側及び内側溝部５１ｂ，５１ｄに吸収されることから、ストッパ本体部５１は変形し易くなっている。このように、ストッパ本体部５１は、適度なラバーボリュームを有しているとともに変形しやすい形状に形成されていることから、軟らかいばね特性を呈することになる。
【００６７】
ここで、エンジンブラケット１０３にゴム弾性体１３５及びストッパゴム１１１を同時モールドした従来のものでは、ストッパゴム１１１の変形が進み溝が埋まると、図１５（ａ）の白抜き矢印で示すように、ストッパゴム１１１が上下方向に逃げるように変形するため、弾性支持されたパワープラントが変位し過ぎるおそれがある。これに対し、本実施形態に係るストッパゴム１１では、外側及び内側突起部５１ａ，５１ｃの変形が進み外側及び内側溝部５１ｂ，５１ｄが埋まると、ストッパ本体部５１における開口部１２ｂに対応する部位が、上下方向に逃げるように変形しようとしても、図１５（ｂ）の白抜き矢印で示すように、枠状の補強部材１２の本体部１２ａによってかかる変形が抑えられることから、ストッパ本体部５１は、硬いばね特性を呈することになる。
【００６８】
図１６は、シミュレーションから得られたストッパゴムの荷重−撓み曲線を示すグラフ図である。図中の実線は、本実施形態のストッパゴム１１に荷重を作用させた場合の荷重−撓み曲線を、また、図中の破線は、エンジンブラケット１０３に同時モールドした従来のストッパゴム１１１に荷重を作用させた場合の荷重−撓み曲線をそれぞれ示す。同図から、本実施形態のストッパゴム１１は、入力荷重が小さい領域（領域Ａ）では、従来のストッパゴム１１１と同様に軟らかいばね特性を呈する一方、入力荷重が増大するにつれて（領域Ｂ）、従来のストッパゴム１１１よりも硬いばね特性を呈することが確認された。
【００６９】
以上により、荷重が入力すると大きく変形して衝撃を吸収する領域（領域Ａ）と、荷重が入力しても大きく変形せず変位を抑える領域（領域Ｂ）とを有する２段階の特性を備えたストッパゴム１１を実現することが可能となる。
【００７０】
−効果−
本実施形態によれば、ブラケットにゴム弾性体及びストッパゴムを同時モールドしていた従来のものとは異なり、主バネ部５及びストッパゴム１１とエンジンブラケット３とを別体としていることから、大きなブラケットを金型に挿入する必要がないので、１回のモールドで複数の主バネ部５びストッパゴム１１を成形することができる。
【００７１】
また、断面略コ字状のストッパゴム１１には、その全体に亘って、断面略コ字状の補強部材１２が埋設されているので、当該ストッパゴム１１の耐久性を向上させることができるとともに、上側及び下側ストッパ取付部６１，７１によって取付台座部３ｃを上下方向に挟むようにケーシング部３ａに取り付けられた状態を維持することができる。
【００７２】
そして、ストッパゴム１１は、ケーシング部３ａの上下方向両端部に形成された、貫通孔１３の接線方向に延びるスライド溝部３ｄ，３ｅに、上側及び下側突条部６１ａ，７１ａをスライド挿入することにより、ケーシング部３ａに取り付けられる。これにより、金属プレート等をカシメるための設備や圧入するための設備を要しないことから、製造コストが嵩むのを抑えることができるとともに、金属プレートの塑性変形によるストッパゴム１１のがたつきを抑えつつ、ストッパゴム１１をスムーズにケーシング部３ａに取り付けることができる。
【００７３】
さらに、上側及び下側突条部６１ａ，７１ａと内側突起部５１ｃとがあたかもケーシング部３ａを筒径方向に挟むように作用することから、ストッパゴム１１がケーシング部３ａにしっかりと取り付けられる。また、ストッパ本体部５１の内側面には内側溝部５１ｄが形成されていることから、ストッパ本体部５１の内側面と取付台座部３ｃとの接触面積が減少する。これらにより、ストッパゴム１１の内側面とエンジンブラケット３の外側の側面とが、離間と当接を繰り返したり、擦れたりすることで発生する異音を抑えることができる。
【００７４】
（その他の実施形態）
本発明は、実施形態に限定されず、その精神又は主要な特徴から逸脱することなく他の色々な形で実施することができる。
【００７５】
上記実施形態では、アウターパイプ１５の筒軸方向が上下方向を向くようにしたが、これに限らず、アウターパイプ１５の筒軸方向をその用途に応じて傾けてもよいし、また、上記実施形態とは逆に、ダイヤフラム９が下側に位置するようにしてもよい。
【００７６】
また、上記実施形態では、ストッパ本体部５１の外側及び内側突起部５１ａ，５１ｃを左右方向に延びる突条としたが、溝部を形成するように突出する突起部である限り、これに限らず、例えば、ディンプル状の突起部としてもよい。
【００７７】
さらに、上記実施形態では、開口部１２ｂを矩形としたが、これに限らず、例えば、円形としてもよい。
【００７８】
また、上記実施形態では、アルミニウム合金製のアウターパイプ１５を用いたが、これに限らず、例えば、鉄製のアウターパイプを用いてもよい。
【００７９】
さらに、上記実施形態では、上側及び下側突条部６１ａ，７１ａを、一方側の閉塞された部位と凸部３ｆ，３ｇとの間に挟むようにしたが、これに限らず、例えば、左右方向両端が閉塞されていないスライド溝部を形成するとともに当該スライド溝部を区画する溝幅方向外側の壁部３ｋに、上側及び下側突条部６１ａ，７１ａが嵌るような切欠部を形成するようにしてもよい。
【００８０】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８１】
以上説明したように、本発明は、自動車用エンジンなどのマウントに用いられる、ブラケットを備えた液体封入式防振装置等について有用である。
【符号の説明】
【００８２】
１      液体封入式防振装置
３      エンジンブラケット（ブラケット）
３ａ    ケーシング部
３ｂ    取付部
３ｄ    スライド溝部
３ｅ    スライド溝部
３ｆ    凸部
３ｇ    凸部
３ｈ    他方側の面
３ｉ    一方側の面
５      主バネ部
１１    ストッパゴム（ストッパ部）
１２    補強部材
１２ａ  本体部
１２ｂ  開口部
１２ｃ  延出部
１２ｄ  延出部
１３    貫通孔
１５    アウターパイプ（筒体）
２５    インナープレート（取付金具）
３１    液室
３５    ゴム弾性体
５１    ストッパ本体部
５１ａ  外側突起部
５１ｂ  外側溝部（溝部）
５１ｃ  内側突起部
５１ｄ  内側溝部（溝部）
６１    上側ストッパ取付部
６１ａ  上側突条部（突条部）
７１    下側ストッパ取付部
７１ａ  下側突条部（突条部）
【図１】
2012189164.tif 000003
【図２】
2012189164.tif 000004
【図３】
2012189164.tif 000005
【図４】
2012189164.tif 000006
【図５】
2012189164.tif 000007
【図６】
2012189164.tif 000008
【図７】
2012189164.tif 000009
【図８】
2012189164.tif 000010
【図９】
2012189164.tif 000011
【図１０】
2012189164.tif 000012
【図１１】
2012189164.tif 000013
【図１２】
2012189164.tif 000014
【図１３】
2012189164.tif 000015
【図１４】
2012189164.tif 000016
【図１５】
2012189164.tif 000017
【図１６】
2012189164.tif 000018
【図１７】
2012189164.tif 000019
【図１８】
2012189164.tif 000020
【図１９】
2012189164.tif 000021